(57)【特許請求の範囲】
【請求項１】
フックを所定の外周位置に形成し内部にぜんまいばねを格納するばね箱をレバーの一端に設け、眼鏡フレームのアームのエンド側を平面視において凹所に形成し、ばね箱内のぜんまいばねの中心部分を挿通する心棒を上記凹所の両内側面で回転自在に軸支し、ぜんまいばねの内端を心棒に連結し、ぜんまいばねの外端をばね箱の内周側面に連結し、アームのエンド側の凹所内にレバーの一端に設けられたばね箱を回転揺動自在に連結すると共に、眼鏡フレームのアームに対しレバーを開いた位置で上記フックを係止するフック受けを上記凹所内に設け、回転自在な心棒を所望の回転位置で固定してぜんまいばねのばね強さを調整し、ばね箱内のぜんまいばねの調整された付勢力により上記アームの一部と上記レバーの一部とによって耳外側の部位の上下側を挟持し、両方の耳の部位のみで眼鏡フレームを支持するようにしたことを特徴とする眼鏡フレーム。
【請求項２】
フックを所定の外周位置に形成し内部にぜんまいばねを格納するばね箱を眼鏡フレームのアームのエンドに設け、レバーの一端側を平面視において凹所に形成し、ばね箱内のぜんまいばねの中心部分を挿通する心棒を上記凹所の両内側面で回転自在に軸支し、ぜんまいばねの内端を心棒に連結し、ぜんまいばねの外端をばね箱の内周側面に連結し、レバーの一端側の凹所内にアームのエンドに設けられたばね箱を回転揺動自在に連結すると共に、眼鏡フレームのアームに対しレバーを開いた位置で上記フックを係止するフック受けを上記凹所内に設け、回転自在な心棒を所望の回転位置で固定してぜんまいばねのばね強さを調整し、ばね箱内のぜんまいばねの調整された付勢力により上記アームの一部と上記レバーの一部とによって耳外側の部位の上下側を挟持し、両方の耳の部位のみで眼鏡フレームを支持するようにしたことを特徴とする眼鏡フレーム。
【請求項３】
凹所の一側面に円形孔を形成し、円形孔の内周に適宜間隔で複数の半円形穴を形成し、円形孔内に回転自在に装着される円形フランジの中心部に心棒の一端を連結すると共に、円形フランジの外面に該円形フランジを回転させるための工具穴を形成し、円形フランジの外周に上記複数の半円形穴に所望の回転位置で一致する半円形穴を形成し、一致する両半円形穴に小ネジを固締して、回転自在な心棒を所望の回転位置で固定してぜんまいばねのばね強さを調整する請求項１又は請求項２記載の眼鏡フレーム。
【請求項４】
凹所の一側面に円形孔を形成し、円形孔内に回転自在に装着される円形フランジの中心部に心棒の一端を連結すると共に、円形フランジの外面に該円形フランジを回転させるための工具穴を形成し、円形フランジの外周に適宜間隔で複数の半円形穴を形成し、上記円形孔の内周に上記複数の半円形穴に所望の回転位置で一致する半円形穴を形成し、一致する両半円形穴に小ネジを固締して、回転自在な心棒を所望の回転位置で固定してぜんまいばねのばね強さを調整する請求項１又は請求項２記載の眼鏡フレーム。
【発明の詳細な説明】
【技術分野】
【０００１】
この発明は、眼鏡を装着する場合に鼻パッドを不要にして鼻で眼鏡フレームの一部を支持せず、両方の耳の部位のみで眼鏡フレームを支持するようにした眼鏡フレームに関するものである。
【背景技術】
【０００２】
従来の眼鏡フレームにあっては、これを装着した場合、眼鏡フレームの支持は鼻パッドやブリッジによる鼻での支持と、両方の耳の部位での支持とによって一般に行われている。
また、実開平１−１３９２１５の眼鏡枠にあっては、眼鏡腕の先端に延長腕が蝶番軸にて連設し、蝶番軸に発条を内蔵し延長腕が作動する構成により、眼鏡フレームの延長腕を耳に巻き付くようにして、過激な運動や労働等で眼鏡が簡単に外れないようにする技術が開示されている。
【特許文献１】実開平０１−１３９２１５
【特許文献２】特開平０８−２０１７３３
【特許文献３】実開平０６−８４４２６
【発明の開示】
【発明が解決しようとする課題】
【０００３】
しかしながら、眼鏡は鼻パッドやブリッジの両側にレンズが装着されているため、眼鏡の重心は鼻パッドやブリッジの近くになる。従来のめがねでは全て鼻パッドやブリッジ方式で、顔の前面である鼻に設置支持の為、めがねのほぼ全質量が鼻部に加わり、下にずれたり、鼻パッドの跡がついたり、汗が溜まったり、デスクワーク等での長時間の鼻への圧迫感を強いられたり、これらが災いして、しみの原因になったり、女性の化粧の鼻パッド部分がはげたり、いずれも顔面への不快感があった。
また、前記の実開平１−１３９２１５を含め、前記の特開平０８−２０１７３３、実開平０６−８４４２６の何れも、両方の耳の部位のみで眼鏡フレームを支持して、鼻パッドを不要にする技術的思想はなく、従来の眼鏡を有する上記欠点をそのまま内包している。
【０００４】
この発明は、上記のような課題に鑑み、その課題を解決すべく創案されたものであって、その目的とするところは、眼鏡フレームを両方の耳の部位のみで支持して鼻部分で支持しない構造にすることで鼻パッドを不要にできると共に、鼻部分に作用する不快感及びこれを通じての顔面への不快感をなくし、並びに眼鏡の多種多様な質量域を装着調整可能な機能を併せ持つ眼鏡フレームを提供することにある。
【課題を解決するための手段】
【０００５】
以上の目的を達成するために、請求項１の発明は、フックを所定の外周位置に形成し内部にぜんまいばねを格納するばね箱をレバーの一端に設け、眼鏡フレームのアームのエンド側を平面視において凹所に形成し、ばね箱内のぜんまいばねの中心部分を挿通する心棒を上記凹所の両内側面で回転自在に軸支し、ぜんまいばねの内端を心棒に連結し、ぜんまいばねの外端をばね箱の内周側面に連結し、アームのエンド側の凹所内にレバーの一端に設けられたばね箱を回転揺動自在に連結すると共に、眼鏡フレームのアームに対しレバーを開いた位置で上記フックを係止するフック受けを上記凹所内に設け、回転自在な心棒を所望の回転位置で固定してぜんまいばねのばね強さを調整し、ばね箱内のぜんまいばねの調整された付勢力により上記アームの一部と上記レバーの一部とによって耳外側の部位の上下側を挟持し、両方の耳の部位のみで眼鏡フレームを支持するようにした手段よりなるものである。
【０００６】
また、請求項２の発明は、フックを所定の外周位置に形成し内部にぜんまいばねを格納するばね箱を眼鏡フレームのアームのエンドに設け、レバーの一端側を平面視において凹所に形成し、ばね箱内のぜんまいばねの中心部分を挿通する心棒を上記凹所の両内側面で回転自在に軸支し、ぜんまいばねの内端を心棒に連結し、ぜんまいばねの外端をばね箱の内周側面に連結し、レバーの一端側の凹所内にアームのエンドに設けられたばね箱を回転揺動自在に連結すると共に、眼鏡フレームのアームに対しレバーを開いた位置で上記フックを係止するフック受けを上記凹所内に設け、回転自在な心棒を所望の回転位置で固定してぜんまいばねのばね強さを調整し、ばね箱内のぜんまいばねの調整された付勢力により上記アームの一部と上記レバーの一部とによって耳外側の部位の上下側を挟持し、両方の耳の部位のみで眼鏡フレームを支持するようにした手段よりなるものである。
【発明の効果】
【０００７】
以上の記載より明らかなように、この発明に係る眼鏡フレームによれば、従来のめがねが有する鼻パッドをなくし、鼻に触れないめがねとして、長時間の鼻への圧迫感等の、顔面への不快感を与えない効果を有するものである。しかも、ぜんまいばねの内端が連結された回転自在な心棒を所望の回転位置で固定することでぜんまいばねのばね強さを調整することができ、ばね箱内のぜんまいばねの調整された付勢力により上記アームの一部と上記レバーの一部とによって耳外側の部位の上下側を挟持するので、眼鏡フレームの質量や重心に応じて最適な状態にぜんまいばねのばね強さを調整し得て、長時間の装着を可能にすることができる。さらに、回転自在な心棒はその外周側にぜんまいばねが取り付けられているので揺動自在であり、この揺動を利用して眼鏡フレームのアームに対しレバーを開いた位置でフックをフック受けに係止させることが簡単にでき、眼鏡の装着及び取り外しを容易に行うことができる。また、レバーを開いた状態で眼鏡を装着後に揺動を利用してフックをフック受けから外して係止解除を簡単にでき、再びぜんまいばねが働くようにして、上記アームの一部と上記レバーの一部とによって耳外側の部位の上下側を挟持させるようにすることができる等、極めて新規的有益なる効果を奏するものである。
【発明を実施するための最良の形態】
【０００８】
以下、図面に記載の発明を実施するための最良の形態に基づいて、この発明をより具体的に説明する。
【０００９】
図において、レバー１の一端にはフック２を所定の外周位置に形成し内部にぜんまいばね４を格納するばね箱３が設けられている。ばね箱３は側面からみて円筒状の形状から形成され、円筒状の内部にぜんまいばね４が格納されている。ばね箱３は円筒状の直径に比べて筒長さつまり円筒状の厚みは小さい。ばね箱３はその円筒状の両端は開口されている。
【００１０】
眼鏡フレームのアーム６のエンド側には平面視つまり平面からみて凹所１３が形成されている。凹所１３は側面からみて円形の形状に形成されている。凹所１３は左右の側面１３ａ、１３ｂによって形成され、左右の側面１３ａ、１３ｂのの間に、前記のばね箱３が挿入されている。ばね箱３は円筒状の開口する両端側が左右の側面１３ａ、１３ｂの内側面側に面している。
【００１１】
この凹所１３の奥側には、後述するようにアーム６のエンド側の凹所１３内に一端のばね箱を通じて回転揺動自在に連結されたレバー１を、眼鏡フレームのアーム６に対し開いた位置で、凹所１３内に挿入されたばね箱３の所定の外周位置に形成された上記フック２を引っ掛けて係止するフック受け５が設けられている。フック受け５には例えばピンが使用されていて、フック受け５を構成するピンはその両端が左右の側面１３ａ、１３ｂに貫通して固着されている。
【００１２】
なお、図１〜図７においては、レバー１の一端にばね箱３が設けられ、アーム６のエンド側に凹所１３が形成されているが、これが逆でもよい。つまり、図８に示すように、レバー１の一端側に平面からみて凹所１３が形成され、アーム６のエンドにばね箱３を設けてもよい。
【００１３】
ばね箱３内のぜんまいばね４の中心部分を挿通する心棒７が設けられている。つまり、ばね箱３内のぜんまいばね４は心棒７の外周側に配置される。心棒７は例えば円柱の形状からなっている。心棒７はその一端が円形フランジ７ａの内面側の中心部に連結されている。凹所１３の片方の側面１３ａの中央には円形フランジ７ａが回転自在に装着される円形孔１３ｃが形成されている。円形孔１３ｃの内径は円形フランジ７ａの外径とほぼ同一である。
【００１４】
凹所１３の他方の側面１３ｂの内面中央には円柱の形状の心棒７の他端側を回転自在に軸支する円形の軸穴１３ｄが形成されている。心棒７は円形フランジ７ａと軸穴１３ｄとにより凹所１３の左右の両側面１３ａ、１３ｂに回転自在に軸支されている。
【００１５】
円形孔１３ｃに装着したとき側面１３ａの外面側となる円形フランジ７ａの外面には、この円形フランジ７ａを円形孔１３ｃ内で回転させる際に使用される工具の例えばプライヤーの先端が挿入されるための工具穴８が形成されている。工具穴８は円形フランジ７ａの中心に対して例えば対角位置に２個設けられている。
【００１６】
図３に示すように、凹所１３の側面１３ａに形成された円形孔１３ｃの内周には適宜間隔例えば等間隔で、複数の例えば偶数倍個の半円形穴１３ｅが形成されている。これに対して、円形フランジ７ａの外周には所望の回転位置で複数の半円形穴１３ｅの少なくとも一つとは一致する半円形穴９が形成されている。半円形穴９は対角位置で例えば２個、円形フランジ７ａの外周に形成されている。
【００１７】
円形フランジ７ａの半円形穴９と円形孔１３ｃの半円形穴１３ｅとが一致して円形穴となった箇所に小ネジ１０をはめ込んで固定することで、ぜんまいばね４のばね強さを調整できる。
【００１８】
なお、図９に示すように、図３と逆のように、半円形穴１３ｅ、半円形穴９をそれぞれ形成してもよい。つまり、円形フランジ７ａの外周に適宜間隔例えば等間隔で、複数の例えば偶数倍個の半円形穴９を形成し、円形孔１３ｃの内周に所望の回転位置で複数の半円形穴９の少なくとも一つとは一致する半円形穴１３ｅを形成してもよい。半円形穴１３ｅは対角位置で例えば２個、円形孔１３ｃの内周に形成してもよい。
【００１９】
ばね箱３の内部に格納されたぜんまいばね４は、その内端が心棒７に差し込まれて連結され、その外端が円筒状のばね箱３の内周側面に連結されている。内端が連結された心棒７を円形フランジ７ａを通じて回転させることにより、ぜんまいばね４のばね強さを調整することが可能となる。
【００２０】
レバー１の一端に設けられたばね箱３と、このばね箱３が挿入されたアーム６のエンド側の凹所１３とは、外端がばね箱３の内周側面に連結され内端が凹所１３に軸支された心棒７に連結されたぜんまいばね４を通じて、回転揺動自在に連結されている。
【００２１】
即ち、ぜんまいばね４の内端と外端とは相対的に揺動自在になっているため、ぜんまいばね４の内端が連結される心棒７とぜんまいばね４の外端が連結されるばね箱３とは相対的に揺動自在となる。
【００２２】
このように、レバー１の一端のばね箱３とアーム６のエンド側の凹所１３とは、揺動自在になっているため、ばね箱３の所定の外周位置に形成したフック２と凹所１３内のフック受け５との係止及び係止解除をこの揺動を利用して簡単に行うことができる。
【００２３】
ばね箱３内のぜんまいばね４の渦巻き方向は、ばね箱３が一端に設けられたレバー１をばね箱３を回転中心としてアーム６側に回転させて閉じる方向に常時付勢するようになっている。ばね箱３内のぜんまいばね４の調整された付勢力により上記アーム６の一部と上記レバー１の一部とによって耳外側の部位の上下側を挟持し、両方の耳の部位のみで眼鏡フレームを支持することが可能となるのである。
【００２４】
また、耳の部位を挟む圧力の負担を和らげるために、レバー１の先端部には柔軟ゴム１１が設けられており、又アーム６の先端部にはクッションゴム１２が設けられているが、必要に応じて省略してもよい。また、柔軟ゴム１１やクッションゴム１２には、例えば超低硬度シリコンゴムを使用するのが好ましい。
【００２５】
次に、上記発明を実施するための最良の形態の構成に基づく作用について以下説明する。
レバー１の一端に設けたばね箱３に、ぜんまいばね４を格納し、ばね箱３の内周側面に形成した溝にぜんまいばね４の外端を止めて連結し、フック受け５を設けた凹所１３がエンド側に形成されたアーム６に組込み、心棒７をぜんまいばね４の巻心部の内端に差込んで、ぜんまいばね４の内端を心棒７に連結し、アーム６のエンド側の凹所１３内に自由に回転する心棒７をはめ込む。
【００２６】
ぜんまいばね４の作動回転範囲による変動トルクによって、多種多様なめがねの質量域の幅広い調整を可能にし、使用質量に応じた回転モーメントを調整選定する為に、あらかじめアーム６の凹所１３と心棒７の一端が連結された円形フランジ７ａを回す。円形フランジ７ａの対角位置の２個の工具穴８に工具の先端を差し込んで回すことで円形フランジ７ａの回転を通じて心棒７を回すことができる。
【００２７】
自由に回転する心棒７でぜんまいばね４を巻締めて、使用質量と釣り合う適宜な回転モーメントの位置で仮止めし、それぞれの適宜な相見合う円形孔１３ｃの半円形穴１３ｅと円形フランジ７ａの半円形穴９が一致して円形穴となった位置で、アーム６の凹所１３と心棒７とが逆回転するのを防止するために逆転防止用の小ネジ１０を一致した円形穴に挿入して固締する。
【００２８】
そして図５に示すようにアーム６のエンド側の凹所１３に一端のばね箱３が折り畳まれたレバー１の状態は、めがねの装着を可能にして、それは髪の毛をすきながらめがねを装着出来る。
【００２９】
次に図６に示すようにめがねを乗せた耳の部位と、レバー１を後方に開いて耳の後部側の下側付近とを、ぜんまいばね４の開放する力によって、持続性を維持して挟み込む事により、力のつりあいで鼻パッドを不要にして装着した鼻に触れないめがねとなる。
【００３０】
次に図７に示すようにめがねの装着後の取外し時は、レバー１を後方に開く方向に廻すことにより髪の毛を押し退けて、係止用のフック２はフック受け５の係止位置で自動的に休止し、髪の毛がからまることなく擦り抜けてめがねの取外しが容易になる。
【００３１】
取外しためがねをケースに収納する時は、図４に示すようにばね箱３に格納されたぜんまいばね４の非密着巻層の隙間によって偏心出来る効果があるので、レバー１を引っ張ることで角変位によりフック２とフック受け５との係止状態は解除されてレバー１が自動的に外れて、アーム６に折り畳まれて容易なケース収納が出来る。
【００３２】
ぜんまいばね４の作動回転範囲による変動トルクによって、多種多様なめがねの質量域の装着を可能にし、使用質量に応じた円形孔１３ｃの半円形穴１３ｅと円形フランジ７ａの半円形穴９が一致して円形穴となった位置での回転モーメントを調整選定し逆転防止用の小ネジ１０で固締して、力のつりあいで装着しうるものである。
【００３３】
従って、従来のめがねが有する鼻パッドをなくし、鼻に触れないめがねとして、長時間の鼻への圧迫感等の、顔面への不快感を与えない効果を有するものである。並びに、耳の後部側の下側付近と頂部とを持続性を維持しながら挟み込むので、レバー１の先端部に柔軟ゴム１１を設け、アーム６の先端部にクッションゴム１２を設ける事で、長時間の耳の部位への受圧面積を広げて、めがねの質量に対する反力の圧迫感を緩和するものである。
【実施例１】
【００３４】
前記の発明を実施するための最良の形態でのぜんまいばね４の格納径をばね箱３の内径より約１mm小さめにおさえ、ぜんまいばね４の開放を防ぐリングで固縛し、ばね箱３への格納を容易にする。
【実施例２】
【００３５】
前記の発明を実施するための最良の形態での耳の部位を挟む圧力の負担を和らげるために、多種多様なめがねの質量域に使用するぜんまいばね４の力を小さくする為には、めがねと一体化するアーム６及びレバー１側がカウンターウエイトなる質量を持つことで、ぜんまいばね４が釣り合うトルク特性を小さくできる。尚、ぜんまいばね４のトルク特性を極限に小さくするために、カウンターウエイトを調整できる調整バラストの金属部品として、またアクセサリーとして、心棒７の工具穴８二個を利用し取付けて活用する。従ってめがね質量の区分域を考えて使用材料による具体案を下記するものである。但し、使用材料はこれに倣わなくてもよい。めがねの全質量が約15ｇ以下は本品を樹脂のみで製作し、活用する。めがねの全質量が約20ｇ前後は本品を樹脂のみで製作し、調整バラスト部品と共に活用する。めがねの全質量が約25ｇ以上は本品を金属のみで製作し、調整バラスト部品と共に活用する。
【００３６】
なお、この発明は上記発明を実施するための最良の形態に限定されるものではなく、この発明の精神を逸脱しない範囲で種々の改変をなし得ることは勿論である。例えば、この発明に使用する材料は柔軟ゴム１１とクッションゴム１２を除けば樹脂でも金属でも良い。
【図面の簡単な説明】
【００３７】
【図１】この発明を実施するための最良の形態を示す眼鏡フレームの平面図である。
【図２】この発明を実施するための最良の形態を示す部分縦断面図である。
【図３】この発明を実施するための最良の形態を示す部分側面図である。
【図４】この発明を実施するための最良の形態を示す部分側断面図である。
【図５】この発明を実施するための最良の形態における装着前のレバー位置を示した側面図である。
【図６】この発明を実施するための最良の形態における装着時のレバー位置と作動範囲を示した側面図である。
【図７】この発明を実施するための最良の形態における装着後の取外し時のレバー位置を示した側面図である。
【図８】この発明を実施するための最良の形態を示す他例の眼鏡フレームの平面図である。
【図９】この発明を実施するための最良の形態を示す他例の部分側面図である。
【符号の説明】
【００３８】
１    レバー
２    フック
３    ばね箱
４    ぜんまいばね
５    フック受け
６    アーム
７    心棒
７ａ  円形フランジ
８    工具穴
９    半円形穴
１０    小ネジ
１１    柔軟ゴム
１２    クッションゴム
１３    凹所
１３ａ  側面
１３ｂ  側面
１３ｃ  円形孔
１３ｄ  軸穴
１３ｅ  半円形穴
【要約】
【課題】  眼鏡フレームを両方の耳の部位のみで支持して鼻部分で支持しない構造にすることで鼻パッドを不要にできると共に、鼻部分に作用する不快感及びこれを通じての顔面への不快感をなくし、並びに眼鏡の多種多様な質量域を装着調整可能な機能を併せ持つ眼鏡フレームを提供することにある。
【解決手段】  フック２を所定の外周位置に形成し内部にぜんまいばね４を格納するばね箱３をレバー１の一端に設け、眼鏡フレームのアーム６のエンド側を平面視において凹所１３に形成し、ばね箱３内のぜんまいばね４の中心部分を挿通する心棒７を上記凹所１３の両内側面で回転自在に軸支し、ぜんまいばね４の内端を心棒７に連結し、外端をばね箱３の内周側面に連結し、アーム６のエンド側の凹所１３内にレバー１の一端に設けられたばね箱３を回転揺動自在に連結すると共に、アーム６に対しレバー１を開いた位置で上記フック２を係止するフック受け５を上記凹所１３内に設けた。
【選択図】        図１
【図１】
0003694521.tif 000002
【図２】
0003694521.tif 000003
【図３】
0003694521.tif 000004
【図４】
0003694521.tif 000005
【図５】
0003694521.tif 000006
【図６】
0003694521.tif 000007
【図７】
0003694521.tif 000008
【図８】
0003694521.tif 000009
【図９】
0003694521.tif 000010